(57)【要約】      （修正有）【課題】異なる大きさの画像表示パネルを用いることができ、簡易に快適な遊技空間を形成することができる表示装置を提供する。【解決手段】カバーは、画像表示パネルの対向する一方の２辺の額縁を覆う第１カバーと、画像表示パネルの対向する他方の２辺の額縁を覆う第２カバーと、を有し、第１カバーは、画像表示パネルの対向する一方の２辺の額縁に対応した大きさに形成され、かつ、交換可能に形成されて、画像表示パネルに取り付けられ、第２カバーは、画像表示パネルに取り付け可能に第２カバーを互いに連結させ、異なる大きさの画像表示パネルを用いることができる第２カバー間の距離を調整可能な調整機構を有し、保持部は、幕板の閉状態では、画像表示パネルを遊技機の上部に配置させるとともに、幕板の開閉動作時には、画像表示パネルを幕板の開閉軌道上から退避する退避位置に移動可能に回動する回動アームを有する。【選択図】図４
0003162322.tif 000002
【実用新案登録請求の範囲】
【請求項１】
遊技機の上部に保持され、所望の画像を表示する表示装置であって、
有効表示領域に画像を表示する画像表示パネルと、
前記有効表示領域の周囲の額縁を覆うカバーと、
前記遊技機の上部において開閉可能に幕板を取り付ける取り付け部に取り付けられて、前記画像表示パネルを前記遊技機の上部に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、異なる大きさの画像表示パネルを用いることができる当該第２カバー間の距離を調整可能な調整機構を有し、
前記保持部は、幕板の閉状態では、前記画像表示パネルを前記遊技機の上部に配置させるとともに、前記幕板の開閉動作時には、前記画像表示パネルを前記幕板の開閉軌道上から退避させる退避位置に移動可能に回動する回動アームを有する表示装置。
【請求項２】
前記回動アームは、前記画像表示パネルの高さ方向の位置を調整可能なことを特徴とする請求項１記載の表示装置。
【請求項３】
前記保持部は、前記画像表示パネルの表示角度を調整可能な角度調整機構を備えることを特徴とする請求項１または２記載の表示装置。
【請求項４】
遊技機島の上部において各遊技機に対応して設けられ、所望の画像を表示する表示装置を有する表示システムであって、
前記表示装置に画像を表示させる表示制御装置を備え、
前記表示装置は、
有効表示領域に画像を表示する画像表示パネルと、
前記有効表示領域の周囲の額縁を覆うカバーと、
前記遊技機の上部において開閉可能に幕板を取り付ける取り付け部に取り付けられて、前記画像表示パネルを前記遊技機の上部に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、異なる大きさの有効表示領域の画像表示パネルを用いることができるように当該第２カバー間の距離を調整可能な調整機構を有し、
前記保持部は、幕板の閉状態では、前記画像表示パネルを前記遊技機の上部に配置させるとともに、前記幕板の開閉動作時には、前記画像表示パネルを前記幕板の開閉軌道上から退避させる退避位置に移動可能に回動する回動アームを有する表示システム。
【考案の詳細な説明】
【技術分野】
【０００１】
本考案は、遊技機の上部において所望の画像を表示する表示装置及び表示システムに関する。
【背景技術】
【０００２】
従来より、パチンコ機やスロットマシン等の遊技機を配設する遊技店においては、遊技機を列設して、いわゆる遊技島を構成し、遊技機の上方には球やコインを補給する補給樋や遊技店の管理コンピュータと各遊技機とを結ぶ信号線や給電線等が配設してある。これらの樋や配線は、外部から見えないように遊技島の上部を幕板によって覆われている。
この幕板においては、広告や遊技機の情報が印刷されたシート等を貼り付けて情報を表示する表示面として、利用されている。
また、特許文献１に記載の発明のように、幕板を有機ＥＬパネルのような表示装置により構成し、所望の画像を表示する表示領域として利用することができるものが知られている。
【先行技術文献】
【特許文献】
【０００３】
【特許文献１】特開２００４−８５８９号公報
【考案の概要】
【考案が解決しようとする課題】
【０００４】
ところで、機体の寿命とは別に使用を終えた遊技機は、廃棄処分されているという実情があった。機体の寿命により廃棄処分されていないために、遊技機においては、遊技機に搭載される機器は利用可能な状態で廃棄処分される。これは、近年のリサイクルの要請の観点からも好ましくない。
そこで、本考案者は、遊技機の廃棄処分に伴い遊技機に搭載された入賞等の表示を行う液晶パネル等の画像表示パネルも廃棄処分されており、再利用が図られていないという現状に着目した。その結果、上述した問題とともに画像表示パネルの有効利用することを見出し、本考案を完成するに至った。
本考案は、簡易に快適な遊技空間を提供することを目的とする。
【課題を解決するための手段】
【０００５】
（１）遊技機の上部に保持され、所望の画像を表示する表示装置であって、
有効表示領域に画像を表示する画像表示パネルと、
前記有効表示領域の周囲の額縁を覆うカバーと、
前記遊技機の上部において開閉可能に幕板を取り付ける取り付け部に取り付けられて、前記画像表示パネルを前記幕板の前面に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、異なる大きさの画像表示パネルを用いることができる当該第２カバー間の距離を調整可能な調整機構を有し、
前記保持部は、幕板の閉状態では、前記画像表示パネルを前記幕体の前面に配置させるとともに、前記幕板の開閉動作時には、前記画像表示パネルを前記幕体の前面の位置から前記幕板の回動軌道上から退避する退避位置に移動可能に回動する回動アームを有する表示装置。
【０００６】
（１）の表示装置は、幕板の前面に配置されるために、幕板の前面の領域を表示領域にすることができるために、快適な遊戯空間を提供することができる。また、幕板の交換等を行わずに既存の幕板を使用することができるため、幕板の表面に装飾等が施されていた場合には、幕板の装飾効果に加えて、本表示装置によりさらに快適な遊技空間を提供することができる。
【０００７】
また、（１）の表示装置は、様々な大きさの液晶パネルに対応可能なカバーにより液晶パネルを覆っている。このため、（１）の表示装置においては、廃棄処分されたパチンコ機に搭載されていた液晶パネルや既製品等の液晶パネルを簡易に利用することができる。特に、廃棄される遊技機に搭載された液晶パネルを利用することができ、液晶パネルに関するコストを低減させることができる上に、リサイクルの観点も同時に満足させることができる。
【０００８】
また、（１）の表示装置は、回動アームが回動するため画像表示パネルを幕板の開閉軌道上から回避させることができるために、幕板の開閉時に邪魔になることがない。
【０００９】
（２）前記回動アームは、前記画像表示パネルの前記幕板における高さ方向の位置を調整可能なことを特徴とする（１）記載の表示装置。
【００１０】
（２）の表示装置は、画像表示パネルの幕板の高さ方向への位置変更が可能なために、表示効果をさらに高めることができる。
【００１１】
（３）前記保持部は、前記画像表示パネルの表示角度を調整可能な角度調整機構を備えることを特徴とする（１）または（２）に記載の表示装置。
【００１２】
（３）の表示装置は、表示面を表示する対象に応じた方向に向けることができるため、表示効果をさらに高めることができる。
【００１３】
（４）遊技機島の上部において各遊技機に対応して設けられる取り付け部に開閉可能に取り付けられる幕板の前面に保持され、所望の画像を表示する表示装置を有する表示システムであって、
前記表示装置に画像を表示させる表示制御装置を備え、
前記表示装置は、
有効表示領域に画像を表示する画像表示パネルと、
前記有効表示領域の周囲の額縁を覆うカバーと、
前記取り付け部に取り付けられて、前記画像表示パネルを前記幕板の前面に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、異なる大きさの有効表示領域の画像表示パネルを用いることができるように当該第２カバー間の距離を調整可能な調整機構を有し、
前記保持部は、幕板の閉状態では、前記画像表示パネルを前記幕体の前面に配置させるとともに、前記幕板の開閉動作時には、前記画像表示パネルを前記幕体の前面の位置から前記幕板の回動軌道上から退避する退避位置に移動可能に回動する回動アームを有する表示システム。
【００１４】
（４）の表示システムは、幕板の前面に配置されるために、幕板の前面の領域を表示領域にすることができ、遊技機島において快適な遊戯空間を提供することができる。また、幕板の交換等を行わずに既存の幕板を使用することができるため、幕板の表面に装飾等が施されていた場合には、幕板の装飾効果に加えて、本表示システムによりさらに遊技機島において快適な遊技空間を提供することができる。
【００１５】
また、（４）の表示システムは、様々な大きさの液晶パネルに対応可能なカバーにより液晶パネルを覆っている。このため、（４）の表示システムにおいては、廃棄処分されたパチンコ機に搭載されていた液晶パネルや既製品等の液晶パネルを簡易に利用することができる。特に、廃棄される遊技機に搭載された液晶パネルを利用することができ、液晶パネルに関するコストを低減させることができる上に、リサイクルの観点も同時に満足させることができる。
【００１６】
また、（４）の表示システムは、回動アームが回動することにより、画像表示パネルを幕板の開閉軌道上から回避させることができるために、幕板の開閉時に邪魔になることがない。
【考案の効果】
【００１７】
本考案によれば、異なる大きさの画像表示パネルを用いることができるため、簡易に快適な遊技空間を提供することができる。
【図面の簡単な説明】
【００１８】
【図１】本考案のパチンコ島における表示システムを示す概念図である。
【図２】本考案のパチンコ島の正面図である。
【図３】幕板に取り付けた状態を示す図で、（ａ）は標準の液晶パネルを用いた表示装置を取り付けた状態を示す斜視図、（ｂ）は小型の液晶パネルを用いた表示装置を取り付けた状態を示す斜視図である。
【図４】表示装置を幕板に取り付けた状態を示す図である。
【図５】保持部を示す図で、（ａ）は斜視図、（ｂ）は液晶パネルの角度の調整を示す図、（ｃ）は液晶パネルを退避位置に移動させた状態を示す図である。
【図６】液晶パネルと側方カバーを示す図で、（ａ）は液晶パネルへの側方カバーの取り付けを示す図、（ｂ）は液晶パネルへの側方カバーのネジによる固定を示す図、（ｃ）は小型の液晶パネルを用いる場合に用いる側方カバーを示す図である。
【図７】液晶パネルへのカバーの取り付けを示す図で、（ａ）液晶パネルへの上下カバーの取り付けを示す図、（ｂ）は液晶パネルへの裏面パネルの取り付けを示す図である。
【図８】カバーを取り付けた液晶パネルを背面方向から見た斜視図で、（ａ）は標準の液晶パネルを用いた場合を示す図、（ｂ）は小型の液晶パネルを用いた場合を示す図である。
【図９】液晶パネルとカバーを示す図で、（ａ）液晶パネルへの上下カバーの取り付けを示す図、（ｂ）は上下カバーの液晶パネルへの取り付け時の調整を示す図である。
【図１０】カバーを取り付けた液晶パネルを背面方向から見た斜視図である。
【考案を実施するための形態】
【００１９】
＜第１実施形態＞
以下、本実施形態の表示システムＳについて、図１を用いて説明する。図１は、本考案のパチンコ島Ｐ１（遊技機島）における表示システムＳを示す概念図である。
本実施形態の表示システムＳは、各パチンコ機Ｐ２、Ｐ２、Ｐ２・・・の上部に設けられる呼び出しボタンや幕板Ｐ３に対応して配置される表示装置１と、表示装置１に画像を表示させる表示制御装置２とを備える。
【００２０】
表示装置１が配置される幕板Ｐ３は、図１に示すように、パチンコ機Ｐ２の上部の球給通路（図示せず）や配線（図示せず）等を覆い隠す板であり、内部の配線等を外部から取り扱うことができるように、各パチンコ機Ｐ２の上部に配置されるとともに、パチンコ機Ｐ２の天面に位置する天板Ｐ４（取り付け部）に蝶番Ｐ５を介して開閉可能に取り付けられる。
【００２１】
また、幕板Ｐ３には、本実施形態においては、例えば、幕板Ｐ３の下部に設けられているパチンコ機Ｐ２の機種に対応する絵柄等が印刷された装飾シート（図示せず）が貼り付けられる。
したがって、パチンコ島Ｐ１において、同一機種のパチンコ機Ｐ２が配設される場合には、パチンコ島Ｐ１の全体で、パチンコ機Ｐ２の装飾と幕板Ｐ３の装飾により遊技空間が総合的に演出される。
【００２２】
また、呼び出しボタンは、プレーヤが店員を呼び出すためのボタンであり、幕板Ｐ３とパチンコ機Ｐ２との間にある領域Ｐ６に配置される。なお、この領域Ｐ６には、本実施形態においては、呼び出しボタンの他に、押しボタンに対応したランプや対応するパチンコ機Ｐ２の出玉の情報を表示する表示部が配置される。
【００２３】
表示システムＳにおける表示制御装置２は、図１に示すように、複数の表示装置１に接続される。
表示制御装置２は、本実施形態においては、ビデオデッキにより構成される。ビデオデッキ２２は、磁気テープ媒体であるビデオに記憶された動画像を再生可能に構成される。また、ビデオデッキ２は、所定の動画像をエンドレスで再生し、例えば、１０分で１セットとなる動画像（映像）を再生し続けるように構成される。
【００２４】
ビデオデッキ２により再生される映像は、例えば、パチンコ機Ｐ２に関する情報（機種情報や操作方法）や、店舗の情報や、店舗の近隣の情報等が流される。なお、表示制御装置２により再生される映像は、表示装置１の利用目的等により種々決定可能である。
【００２５】
次に、本実施形態の表示装置１について、図２から図８を用いて説明する。図２は、本考案のパチンコ島Ｐ１の正面図である。図３は、幕板Ｐ３に取り付けた状態を示す図で、（ａ）は標準の液晶パネル４を用いた表示装置１を取り付けた状態を示す斜視図、（ｂ）は小型の液晶パネル４を用いた表示装置１を取り付けた状態を示す斜視図である。図４は、表示装置１を幕板Ｐ３に取り付ける状態を示す図である。図５は、保持部３を示す図で、（ａ）は斜視図、（ｂ）は液晶パネル４の角度の調整を示す図、（ｃ）は液晶パネル４を退避位置に移動させた状態を示す図である。図６は、液晶パネル４と側方カバー５１を示す図で、（ａ）は液晶パネル４への側方カバー５１の取り付けを示す図、（ｂ）は液晶パネル４への側方カバー５１のネジによる固定を示す図、（ｃ）は小型の液晶パネル４を用いる場合に用いる側方カバー５１を示す図である。図７は、液晶パネルへのカバーの取り付けを示す図で、（ａ）液晶パネルへの上下カバーの取り付けを示す図、（ｂ）は液晶パネルへの裏面パネルの取り付けを示す図である。図８は、カバーを取り付けた液晶パネルを背面方向から見た斜視図で、（ａ）は標準の液晶パネルを用いた場合を示す図、（ｂ）は小型の液晶パネルを用いた場合を示す図である。
【００２６】
表示装置１は、図２及び図３（ａ）に示すように、パチンコ機Ｐ２の上部に設けられる幕板Ｐ３のほぼ中央の幕板Ｐ３の前面に配置される。
【００２７】
表示装置１は、図４に示すように、表示面を幕板Ｐ３の前面に保持する保持部３と、表面の有効表示領域Ｒ１において表示面を構成し、保持部３を介して幕板Ｐ３に取り付けられる液晶パネル４と、液晶パネル４を覆うカバー５と、を備える。
【００２８】
このように構成される表示装置１は、図３（ｂ）に示すように、図３（ａ）に示す液晶パネル４よりも小型の液晶パネル４を用いることができる。また、表示装置１は、図３（ａ）に示す液晶パネル４よりも小型の液晶パネル４に限られず、異なる大きさの液晶パネル４を用いることができる。異なる大きさの液晶パネル４とは、縦横比が異なる液晶パネル４や厚さが異なる液晶パネル４である。また、カバー５の形状を変更することにより、矩形の液晶パネル４以外の液晶パネル４を用いることができる。表示装置１に異なる大きさの液晶パネル４を用いた場合については、後に詳述する。
【００２９】
液晶パネル４は、本実施形態においては、横長の矩形形状であり、ＴＦＴ（Ｔｈｉｎ  Ｆｉｌｍ  Ｔｒａｎｓｉｓｔｏｒ、薄膜トランジスタ）液晶パネル４として構成される。液晶パネルには、図６に示すように、所望の画像を表示する有効表示領域Ｒ１が中央に設けられ、有効表示領域Ｒ１の周囲には、画像表示に供しない額縁Ｒ２が設けられている。
【００３０】
液晶パネル４は、例えば、バックライト（図示せず）と、バックライト上に設けられる偏光板と、偏光板上に設けられるアレイ基板（図示せず）と、アレイ基板上に設けられるカラーフィルタ（図示せず）と、アレイ基板に接続される駆動回路（図示せず）と、カラーフィルタ上に設けられる偏光板（図示せず）と、インターフェース基板（図示せず）とを備える。なお、液晶パネル４は、種々の要素から構成可能である。
【００３１】
液晶パネル４は、上述したバックライト等がユニット化され、ケーブル（図示せず）が引き出されて提供される。液晶パネル４は、ケーブルによりビデオデッキ２と接続し、ビデオデッキ２から画像と電源が供給される。
【００３２】
また、液晶パネル４は、本実施形態においては、廃棄されたパチンコ機Ｐ２に搭載されていた液晶パネル４を用いる。液晶パネル４は、パチンコ機Ｐ２の搭載状態においては、例えば、パチンコ機Ｐ２の筐体に取り付けるための取り付け部を有するケースに覆われている場合がある。この場合において、液晶パネル４は、ケースから取り外した状態で後述するカバー５を取り付ける。
【００３３】
バックライトは、面光源であり、インバータに接続されたライトと偏光板にライトの光を導く導光板とを有する。
【００３４】
偏光板は、一方向からの光を通過させ、多方向の光を吸収、あるいは、反射や散乱等によって遮蔽する機能を有するように構成される。
【００３５】
アレイ基板は、ＴＦＴによる画素をマトリックス状に多数配列した基板により構成される。
【００３６】
駆動回路は、液晶パネル４を駆動するために駆動用集積回路（ドライバＩＣ）を付加し、それらを制御するコントローラ（制御用集積回路）等を搭載したプリント基板として構成される。
【００３７】
カラーフィルタは、可視光のうち特定の波長域の光を通過させ、特定の波長域の光を素阻止するフィルタとして構成される。
【００３８】
インターフェース基板は、出力機器（本実施形態においては、ビデオデッキ２）からの出力信号を液晶パネル４に表示可能に変換する基板である。本実施形態においては、当該プリント基板及びインターフェース基板は、液晶パネル４にユニット化されており、電源供給及び出力機器との接続のために、液晶パネル４からケーブルが引き出される。
【００３９】
なお、本実施形態においては、液晶パネル４は、リサイクルの要請等を考慮して、廃棄されたパチンコ機Ｐ２に搭載される液晶パネル４を用いたがこれに限られない。液晶パネル４は、例えば、既製品であっても、新たに設計したものであってもよい。この場合においても、液晶パネル４の大きさを考慮する必要がないために液晶パネル４の選択の幅が広がり、例えば、コスト的に有利な既製品を用いることや部品を用いることができるために、廃棄された液晶パネル４を用いる以外にも有効である。
【００４０】
表示装置１は、上述したように構成される液晶パネル４をカバー５で覆い、保持部３を介して、幕板Ｐ３に取り付けることにより、幕板Ｐ３の前面に表示面を配置する。
【００４１】
保持部３は、図４に示すように、天板Ｐ４に取り付けられ、液晶パネル４を幕板Ｐ３の前面に保持可能であり、液晶パネル４の表示面の角度を調整可能な構成を備えている。保持部３は、図５（ａ）に示すように、第１保持部材３１と、回動アーム３２と、第２保持部材３３とを備える。
【００４２】
第１保持部材３１は、図４に示すように、幕板Ｐ３側（詳細には、幕板Ｐ３が取り付けられている天板Ｐ４）にビス（図示せず）を介して取り付けられる。また、第１保持部材３１は、図５（ａ）に示すように、回動アーム３２に回動アーム３２に設けられるボルトに回動可能にナットを介して取り付けられる。
【００４３】
回動アーム３２は、逆Ｌ形状に形成され、一端に第１保持部材３１が連結され、他端に第２保持部材３３が連結される。
また、回動アーム３２は、第１部材３２１と第２部材３２４とを有している。
【００４４】
第１部材３２１は、第１保持部材３１と連結するためのボルトと、第２部材３２４と連結するためのボルト挿通孔３２３を有する。
ボルトは、第１保持部材３１のボルト挿通孔に挿通され、ナットにより天板Ｐ４に対して回動アーム３２が回動可能に取り付けられる。なお、第１保持部材３１と第１部材３２１とは、第１部材３２１に設けられたボルトを第１保持部材３１に設けられたボルト挿通孔に挿通し、ナットにより連結したがこれに限られない。第１保持部材３１と第１部材３２１とは、互いに第１部材３２１が第１保持部材３１に対して回動可能に連結されればよく、例えば、第１保持部材３１と第１部材３２１にボルト挿通孔を設けて、ボルトとナットによりボルト止めするように構成してもよい。
【００４５】
第１部材３２１のボルト挿通孔３２３は、後述する第２部材３２４のボルト挿通孔３２５とともに固定部材３２６によりボルト止めされるようにボルトが挿通可能な大きさ形成される。第１部材３２１のボルト挿通孔３２３は、本実施形態においては、３つ形成される。
【００４６】
第２部材３２４は、第２保持部材３３と連結して角度調整可能にする突起３２７と、第２部材３２４と連結するためのボルト挿通孔３２３と、固定部材３３２（詳細には、固定部材３３２の蝶ネジ）を挿通可能な蝶ネジ用開口を有する。
【００４７】
第２部材３２４の突起３２７は、３つ設けられ、対応する第２保持部材３３の突起挿通孔に挿通可能な大きさに形成される。
なお、第１部材３２１と第２部材３２４との連結は、互いの部材に設けられたボルト挿通孔を介してボルトにより行われたがこれに限られない。第１部材３２１と第２部材３２４との連結は、長さ調整可能に再連結可能な構成であればよく、例えば、一方に設けたボルトに他方に設けたボルト挿通孔を介してボルト止めするようにして構成してもよい。
【００４８】
第２部材のボルト挿通孔３２３は、第１部材３２１のボルト挿通孔３２３とともに固定部材３２６によりボルト止めされるようにボルトが挿通可能な大きさに形成される。第１部材３２１のボルト挿通孔３２３は、本実施形態においては、５つ形成される。このように、第１部材３２１と第２部材３２４にボルト挿通孔３２３、３２５が形成されることで、第１部材３２１と第２部材３２４にボルト挿通孔３２３、３２５を任意の位置に互いに一致させ、ボルト止めすることで、回動アームの長さを調整することができる。
【００４９】
第２保持部材３３は、図４に示すように、カバー５側（詳細には、下カバー５３）に取り付けられる。また、第２保持部材３３は、図５（ａ）に示すように、取り付け部と、突出部と、回動アーム３２と連結する固定部材３３２とを備える。
【００５０】
取り付け部は、下カバー５３に取り付け部を取り付けるためのビス（図示せず）が挿通可能なビス用開口を、４隅に有する。
【００５１】
突出部は、蝶ネジ用開口と突起用孔３３１とを有する。
蝶ネジ用開口は、回動アーム３２と第２保持部材３３とを固定するための固定部材３５の蝶ネジ３５１が挿通可能な開口である。
【００５２】
突起用孔３３１は、図５（ａ）に示すように、対応する第２部材３２４の突起が挿入可能な孔である。突起用孔３３１は、本実施形態においては、５つ形成され、第２部材３２４の突起に対応して蝶ネジ用開口を中心に同心円状に配置される。
【００５３】
本実施形態においては、第２部材３２４の突起が３つ形成され、対応する突起用孔３３１が５つ形成されているために、第２保持部材３３の取り付け部は、幕板Ｐ３と同じ角度である標準状態と、標準状態よりも下方の角度となる下方状態と、標準状態よりも上方の角度となる上方状態との３つの角度の変更か可能となる。つまり、本実施形態の表示装置１は、表示面の角度を３段階に調整することができる。なお、第２部材３２４の突起は、剛性等を考慮して３つ形成したがこれに限られない。また、突起用孔３３１は、本実施形態においては、第２部材３２４の突起の個数と設定する表示面の角度の調整度合いに応じて５つ形成したがこれに限られない。
【００５４】
固定部材３５は、蝶ネジ３５１と蝶ネジ３５１に対応する蝶ネジ用ナットを有する。固定部材３３２は、本実施形態においては、表示面の角度調整を工具を用いずに素手で行えるように操作性を考慮して、蝶ネジ３５１及び蝶ネジ用ナットを用いたがこれに限られない。表示装置１を設置後に角度調整可能で、回動アーム３２と第２保持部材３３との締結と締結解除が可能であればよく、ボルトでもよい。
【００５５】
表示面の角度の変更は、まず、蝶ネジ３５１を回して蝶ネジ３５１と蝶ネジ用ナットを回動アーム３２と第２保持部材３３から取り外す。そして、第２部材３２４の突起から突起用孔３３１を抜き取ることにより、第２保持部材３３を回動アーム３２から取り外す。そして、所定の突起用孔３３１に第２部材３２４の突起を挿入することにより、表示面の角度の変更が可能になる。
【００５６】
表示装置１は、図５（ｂ）に示すように、上段の３箇所の突起用孔３３１に突起を挿入することで、下方状態にすることができ、中段の３箇所の突起用孔３３１に突起を挿入することで、標準状態にすることができ、下段の３箇所の突起用孔３３１に突起を挿入することで、上方状態にすることができる。
【００５７】
したがって、表示装置１は、上述した保持部３の構造により、表示面（液晶パネル４）の角度を変更することができる。表示装置１においては、表示面を下方状態すれば、例えば、着席しているパチンコ機Ｐ２を操作するプレーヤに見やすい位置に表示面を向けることができる。また、表示面を標準状態や上方状態すれば、例えば、パチンコ島Ｐ１の間を行き交う人に見やすい位置に表示面を向けることができる。
【００５８】
また、幕板Ｐ３の開閉に際しては、図５（ｃ）に示すように、幕板Ｐ３の上方の幕板Ｐ３の開閉軌道の外に液晶パネル４を回動させる。これにより、幕板Ｐ３を開閉させても、液晶パネル４が邪魔になることが無い。液晶パネル４の使用時には、幕板Ｐ３を閉じて、液晶パネル４を幕板Ｐ３の前面に配置するように、液晶パネル４を回動させる。
【００５９】
次に、液晶パネル４の額縁Ｒ２を覆うカバー５について、説明する。
カバー５は、図３（ａ）に示すように、２つの側方カバー５１と、上カバー５２と、下カバー５３と、裏面パネル４３と、を有する。
【００６０】
側方カバー５１は、図６（ａ）に示すように、液晶パネル４の表示面側を覆う前面、表示面の反対側を覆う背面及び液晶パネル４の厚み方向側の面を覆う側面により構成され、断面コ字状に形成される。側方カバー５１には、液晶パネル４が前面、背面及び側面により囲まれるコ字形状の内方に配置される。
また、側方カバー５１は、液晶パネル４の大きさ毎に形成され、液晶パネル４の大きさに応じて、対応する大きさのものに交換して用いられる。
【００６１】
側方カバー５１の前面５１１は、液晶パネル４の有効表示領域Ｒ１の外方の額縁を覆う大きさに形成される。
側方カバー５１の側面５１２は、液晶パネル４の厚さよりも大きく形成される。
【００６２】
側方カバー５１の背面５１３は、側方カバー５１の前面５１１と同程度の大きさに形成され、ネジが挿通可能なネジ挿通孔５１４を有する。なお、側方カバー５１の背面５１３は、本実施形態においては、例えば、縦長矩形の板材を折り曲げる等により容易に形成できるように形成性を考慮した大きさに形成したがこれに限られない。側方カバー５１の背面５１３は、例えば、液晶パネル４との固定を行う部材となるネジ５１５が挿通可能なネジ挿通孔５１４を形成する部位に対応した部分のみでもよい。
【００６３】
液晶パネル４と側方カバー５１の取り付けについて説明する。液晶パネル４と側方カバー５１とは、図６（ａ）に示すように、ネジ５１５により連結される。ネジ５１５は、ネジ挿通孔５１４に挿通され、対応するナット５１６により、側方カバー５１に螺着される。この際、ネジの先端を液晶パネル４の背面を側方カバー５１の前面５１１に押し付ける位置に配置することで、液晶パネル４と側方カバー５１とを連結させることができる。
また、側方カバー５１と液晶パネル４への取り付けに際して、ネジ５１５と液晶パネル４の背面との間には、図６（ｂ）に示すように、ゴム５１７が設けられる。ゴム５１７を設けることにより、ネジ５１５の押圧面が拡大されるとともに、液晶パネル４の形状に影響を受けずに、ゴム５１７の押圧を行うことができる。
【００６４】
また、側方カバー５１は、上述したように液晶パネル４の大きさ毎に形成される。詳細には、側方カバー５１は、液晶パネル４の縦方向の長さに対応した長さに側方カバー５１の前面５１１、側面５１２及び背面５１３が形成され、額縁Ｒ２の領域に対応した大きさに側方カバー５１の前面５１１が形成される。つまり、図３（ａ）に示すような液晶パネル４に比して小型の図３（ｂ）に示すような液晶パネル４を用いる場合には、図６（ｃ）に示すように、液晶パネル４に対応して形成された側方カバー５１を用いる。
このように、側方カバー５１は、液晶パネル４の大きさ毎に形成されるために、用いられる液晶パネル４の大きさに合わせて、対応する側方カバー５１を選んで取り付ける。
【００６５】
上カバー５２は、図７（ａ）に示すように、液晶パネル４の前面に対応する前面５２１と、液晶パネル４の上面に対応する上面５２２と、液晶パネル４の背面に対応した背面５２３と、液晶パネル４の側面に対応して側面５２４と、を有する。
なお、上カバー５２は、本実施形態においては、例えば、射出成形等により各面（前面５２１、上面５２２、背面５２３及び側面５２４）が一体に形成される。
【００６６】
上カバー５２の上面５２２には、アジャスト用ボルト５２７が挿通するボルト挿通孔５２６が形成される。
【００６７】
上カバー５２の背面５２３は、液晶パネル４の中央部付近まで、液晶パネル４の背面を覆う大きさであり、上カバー５２と下カバー５３を液晶パネル４に取り付けた状態において、図８（ａ）に示すように、配線抜け用開口５０を形成可能な大きさに形成される。
【００６８】
また、上カバー５２の背面５２３には、図８（ａ）に示すように、液晶パネル４の取り付け状態において、液晶パネル４に取り付けられた側方カバー５１を避けるように切り欠かれた切り欠き部５２９が形成される。
【００６９】
また、上カバー５２の背面５２３には、図８（ａ）に示すように、後述するナット５４３を取り付けることにより、ナット５４３と上カバー５２との間に裏面パネル５４を取り付け可能にする背面ボルト５２５が形成される。
【００７０】
下カバー５３は、図７（ａ）に示すように、液晶パネル４の前面に対応する前面５３１と、液晶パネル４の底面に対応する底面５３２と、液晶パネル４の背面に対応した背面５３３と、液晶パネル４の側面に対応した側面５３４と、を有する。
なお、下カバー５３は、本実施形態においては、射出成形等により各面（前面５３１、底面５３２、背面５３３、側面５３４）が一体に形成される。
【００７１】
下カバー５３の背面５３３は、図８（ａ）に示すように、液晶パネル４の中央部まで、液晶パネル４の背面を覆う大きさに延設されており、上カバー５２と下カバー５３を液晶パネル４に取り付けた状態において、配線抜け用開口５０を形成可能な大きさに形成される。
【００７２】
また、下カバー５３の背面５３３には、図８（ａ）に示すように、後述するナット５４３を取り付けることにより、ナット５４３と下カバー５３との間に裏面パネル５４を取り付け可能にする背面ボルト５２５が形成される。
【００７３】
また、下カバー５３の背面５３３には、液晶パネル４の取り付け状態において、液晶パネル４に取り付けられた側方カバー５１を避けるように切り欠かれた切り欠き部５２９が形成される。また、下カバー５３の背面５３３には、ビス（図示せず）により、第２取り付け部３３４が取り付けられる。
【００７４】
裏面パネル５４は、ボルト挿通長孔５４１と、ケーブル開口５４２とを有する。
ボルト挿通長孔５４１は、背面ボルト５２５を挿通可能に形成されるとともに、異なる大きさの液晶パネル４を取り付けることにより上下カバー５２、５３の背面ボルト５２５の位置が変更を許容する大きさに形成される楕円の長孔形状に形成される。
ケーブル開口５４２は、液晶パネル４から引き出されたケーブルが通過可能な開口である。
【００７５】
液晶パネル４へのカバー５の取り付けは、まず、図６（ａ）に示すように、液晶パネル４の大きさに対応する側方カバー５１を交換してビスにより取り付ける。次に、図７（ａ）に示すように、上カバー５２及び下カバー５３に液晶パネル４を取り付ける。次に、図７（ｂ）に示すように、裏面パネル５４のボルト挿通長孔５４１に背面ボルト５２５を挿通し、図８（ａ）に示すように、背面ボルト５２５に対応するナット５４３を取り付けることにより、裏面パネル５４を介して、上カバー５２と下カバー５３とが連結して、液晶パネル４にカバー５が取り付けられる。
【００７６】
小型の液晶パネル４を用いる場合には、液晶パネル４の大きさに対応した側方カバー５１を交換して取り付けて、背面ボルトの位置が変化しても、ボルト挿通長孔により、その位置が許容されて、ナットが取り付け可能になる。この結果、上下カバー５２、５３に裏面パネル５４を取り付けることができるために、異なる大きさの液晶パネル４を用いることができるようになる。
【００７７】
大型の液晶パネル４を用いる場合にも、同様の方法でカバー５を取り付けることにより、背面ボルト５２５が変化しても、ボルト挿通長孔５４１により、上下カバー５２、５３に裏面パネル５４を取り付けることができる。
【００７８】
以上のように構成される表示装置１においては、以下のような効果を奏する。
表示装置１においては、保持部３により幕板Ｐ３の前面に表示面を配置するために、既存の幕板Ｐ３を用いることができるので、幕板Ｐ３とパチンコ機Ｐ２に施された装飾により、遊技空間が演出されている場合等においては、遊技空間の統一感を崩すことなく新たな表示面を提供することができる。
【００７９】
また、表示装置１においては、用いられる液晶パネル４の大きさに応じて、側方カバー５１を交換し、裏面パネル５４を取り付けることにより、異なる大きさの液晶パネル４を用いることができる。したがって、表示装置１においては、例えば、廃棄されたパチンコ機Ｐ２に搭載されていた液晶パネル４や既製品の液晶パネル４を用いることができ、リサイクルの要請を満たすことができたり、コスト面や製造性等の製造者に有利に働くように自由に液晶パネル４を選択したりすることができる。
【００８０】
また、表示装置１においては、保持部３に表示面の角度を調整可能な角度調整機構を備えているために、例えば、パチンコ機Ｐ２を操作するプレーヤ等に適した方向に表示面を向けることができ、表示効果を高めることができる。
【００８１】
また、表示装置１においては、ネジにより液晶パネル４を側方カバー５１の前面に押し付けて液晶パネル４に側方カバー５１を取り付けるために、液晶パネル４の形状等に影響されることなく側方カバー５１を液晶パネル４に取り付けることができる。
【００８２】
また、表示装置１においては、保持部３により幕板Ｐ３の表面に表示装置１が取り付けられるために、幕板Ｐ３の開閉操作時に表示装置１が邪魔になることが無い。
【００８３】
＜第２実施形態＞
以下、本考案の第２実施形態について、図９及び図１０を用いて説明する。第２実施形態については、上述した第１実施形態と異なる点を主に説明し、同様の点は、同一の符号を付して説明を省略する。特に説明しない点は、第１実施形態についての説明が適宜適用される。図９は、液晶パネルとカバーを示す図で、（ａ）液晶パネルへの上下カバーの取り付けを示す図、（ｂ）は上下カバーの液晶パネルへの取り付け時の調整を示す図である。図１０は、カバーを取り付けた液晶パネルを背面方向から見た斜視図である。
【００８４】
第２実施形態は、第１実施形態の上カバー５２及び下カバー５３において液晶パネルの取り付けに関する機構が異なる。詳細には、カバー５の裏面パネル５４に代えて、上カバー５２及び下カバー５３に設けたアジャスト機構を用いる。
【００８５】
上カバー５２は、図９（ａ）に示すように、液晶パネル４の前面に対応する前面５２１と、液晶パネル４の上面に対応する上面５２２と、液晶パネル４の背面に対応した背面５２３と、液晶パネル４の側面に対応して側面５２４と、を有する。
なお、上カバー５２は、本実施形態においては、例えば、射出成形等により各面（前面５２１、上面５２２、背面５２３及び側面５２４）が一体に形成される。
【００８６】
上カバー５２の上面５２２には、アジャスト用ボルト５２７が挿通するボルト挿通孔５２６が形成される。
【００８７】
上カバー５２の背面５２３は、液晶パネル４の中央部付近まで、液晶パネル４の背面を覆う大きさであり、上カバー５２と下カバー５３を液晶パネル４に取り付けた状態において、図８に示すように、配線抜け用開口５０を形成可能な大きさに形成される。
【００８８】
また、上カバー５２の背面５２３には、図１０に示すように、液晶パネル４の取り付け状態において、液晶パネル４に取り付けられた側方カバー５１を避けるように切り欠かれた切り欠き部５２９が形成される。
【００８９】
下カバー５３は、図９（ａ）に示すように、液晶パネル４の前面に対応する前面５３１と、液晶パネル４の底面に対応する底面５３２と、液晶パネル４の背面に対応した背面５３３と、液晶パネル４の側面に対応した側面５３４と、を有する。
また、下カバー５３は、上下カバー５２、５３の液晶パネル４への取り付け状態において、上カバー５２のボルト挿通孔５２６に対応する位置に配置されるアジャスト用ナット５３６を有する。
なお、下カバー５３は、本実施形態においては、射出成形等により各面（前面５３１、底面５３２、背面５３３、側面５３４）が一体に形成される。
【００９０】
下カバー５３の背面５３３は、図１０に示すように、液晶パネル４の中央部まで、液晶パネル４の背面を覆う大きさに延設されており、上カバー５２と下カバー５３を液晶パネル４に取り付けた状態において、配線抜け用開口５０を形成可能な大きさに形成される。
また、下カバー５３の背面５３３には、液晶パネル４の取り付け状態において、液晶パネル４に取り付けられた側方カバー５１を避けるように切り欠かれた切り欠き部５２９が形成される。また、下カバー５３の背面５３３には、ビス（図示せず）により、第２取り付け部３３４が取り付けられる。
【００９１】
アジャスト用ナット５３６は、図８（ａ）に示すように、円柱状に形成され、一端にアジャスト用ボルト５２７に対応したボルト孔５３７を有し、他端が下カバー５３の底面に取り付けられる。
【００９２】
上カバー５２と下カバー５３とは、図８（ｂ）に示すように、上カバー５２の凹部分に液晶パネル４の上部を収容し、下カバー５３収容部に液晶パネル４の下部を収容した状態で、アジャスト用ボルト５２７をボルト挿通孔５２６に挿通させて、対応するアジャスト用ナット５３５に螺合させることで、液晶パネル４を保持して連結可能となる。
また、上カバー５２と下カバー５３とは、アジャスト用ボルト５２７の螺合状態を調整することにより、位置を調整することができる。つまり、液晶パネル４の高さ方向の位置を調整することができる。
【００９３】
例えば、図３（ａ）に示す大きさの液晶パネル４から図３（ｂ）に示す大きさの液晶パネル４を表示装置１に用いるためには、まず、図３（ｂ）に示す大きさの液晶パネル４に対応した図６（ｃ）に示す大きさの側方カバー５１に交換する。この際、用いる液晶パネル４の厚さに応じて、アジャスト用ボルト５２７の先端の位置を調整する。
【００９４】
次に、表示装置１においては、液晶パネル４に上カバー５２と下カバー５３を取り付ける。この際、液晶パネル４の大きさに応じて、図９（ｂ）に示すように、アジャスト用ボルト５２７の螺合具合を調整して、液晶パネル４に上カバー５２と下カバー５３とを取り付ける。この際、液晶パネル４の大きさがアジャスト用ボルト５２７の調節域よりも大きい場合には、アジャスト用ナットに到達し、螺合を調整可能な長さのボルト軸の長いアジャスト用ボルト５２７を用い、液晶パネル４の大きさがアジャスト用ボルト５２７の調節域よりも大きい場合には、上カバー５２からの突出を考慮して、ボルト軸の短いアジャスト用ボルト５２７を用いる。
【００９５】
このように側方カバー５１、上カバー５２及び下カバー５３を液晶パネル４に取り付けることにより、異なる大きさの液晶パネル４を取り付けることが可能となる。
【００９６】
このように構成される表示装置１は、種々の大きさ（縦横の長さや厚さ）の液晶モニタを用いることができる。このため、様々な既製品に対応することができる上に、廃棄されたパチンコ機Ｐ２の液晶モニタを流用して表示装置１の液晶パネル４として用いることが可能になる。これにより、パチンコ機Ｐ２のリサイクルの要請を満たすとともに、表示装置１を安価に製造することができる。
【００９７】
また、表示装置１においては、用いられる液晶パネル４の大きさに応じて、側方カバー５１を交換し、アジャスト用ボルトによる上カバー５２と下カバー５３との連結具合を調整することにより、異なる大きさの液晶パネル４を用いることができる。したがって、表示装置１においては、例えば、廃棄されたパチンコ機Ｐ２に搭載されていた液晶パネル４や既製品の液晶パネル４を用いることができ、リサイクルの要請を満たすことができたり、コスト面や製造性等の製造者に有利に働くように自由に液晶パネル４を選択したりすることができる。
【００９８】
以上、本考案に係る表示装置１の好適な実施形態について説明したが、本考案に係る表示装置１は、上述した実施形態に限定されることなく種々の形態で実施することができる。
【００９９】
なお、本実施形態において、液晶パネル４は、パチンコ機Ｐ２から取り外し、ケースを取り外した状態で用いられるが、ケースが取り付けられた状態でも用いることができる。この場合においては、ケースを想定した大きさのカバー５を用いることとなる。つまり、液晶パネル４としては機能しないパチンコ機Ｐ２の筐体への取り付け部等を覆う大きさのカバー５を用いることで可能となる。
【０１００】
本実施形態においては、表示装置１に表示する画像を、ビデオデッキ２から出力される映像としたがこれに限られず、種々の画像（静止画像及び動画像）を用いることができる。
【０１０１】
本実施形態においては、液晶パネル４として説明したがこれに限られない。本実施形態においては、所望の画像を表示可能な画像表示パネルであればよく、例えば、有機ＥＬ（Ｅｌｅｃｔｒｏ  Ｌｕｍｉｎｅｓｃｅｎｃｅ）やプラズマディスプレイ等であってもよい。
【０１０２】
本実施形態においては、横長矩形形状の液晶パネル４を用いたがこれに限られない。種々の液晶パネル４の形状に対応可能であり、例えば、縦長矩形形状の液晶パネル４に用いることができる。
【０１０３】
本実施形態においては、インターフェース基板等の基板を液晶パネル４にユニット化し、カバー５で保持したがこれに限られない。インターフェース基板等の基板は、取り扱いの容易さや液晶パネル４の構成等により配置場所が選択されればよく、例えば、幕板Ｐ３の内部に配置してもよい。
【０１０４】
液晶パネル４や、バックライトのインバータ基板や、インターフェース基板をアクリル等のケースでユニット化したモニタユニットをそのまま流用することができる。
【０１０５】
また、表示制御装置２は、画像の再生信号を液晶パネル４に出力可能な構成であればよく、例えば、パーソナルコンピュータでもよい。パーソナルコンピュータにより構成した場合には、例えば、ハードディスクや各種媒体に記憶された画像（静止画像及び動画像）データを表示装置１に表示させる。また、パーソナルコンピュータがインターネットに接続されている場合には、即時性のある情報（例えば、ニュース等）を表示させることができ、パチンコ機Ｐ２と同期して接続される場合には、パチンコ機Ｐ２に対応する表示（例えば、入賞時に対応する表示）を行うことができる。また、各表示装置１に異なる画像を表示させるように構成することもできる。また、表示タイミング等も種々設定可能になる。
【０１０６】
また、本実施形態の表示装置１において、縦方向のカバー５の取り付けの調節は、所定の長さに形成されたナットに対して、ボルト長さを変更、またはボルトの螺合具合を調節して行っていたが、これに限られない。ナットの長さを変えるように構成してもよく、例えば、ナットを振り出し式に伸縮自在に形成してもよい。
【０１０７】
また、本実施形態においては、液晶パネル４の側方に側方カバー５１、５１を設け、液晶パネル４の上方に上カバー５２を設け、液晶パネル４の下方に下カバー５３を設けたがこれに限られず、例えば、液晶パネル４の側方に上下カバー５２、５３を設け、液晶パネル４の上方及び下方に側方カバー５１を設けるようにしてもよい。
【０１０８】
また、本実施形態においては、液晶パネル４を保持部３を介して、幕板Ｐ３に直接取り付けたがこれに限られない。液晶パネル４は、幕板Ｐ３の前面に配置されていればよく、例えば、幕板Ｐ３以外の幕板Ｐ３が取り付けられる天板Ｐ４等に保持部３を介して取り付けて幕板Ｐ３の前面に配置されていてもよい。
【０１０９】
また、本実施形態においては、液晶パネル４をパチンコ機Ｐ２の上部の幕板Ｐ３の前面に配置する場合を述べたが、これに代えて、パチンコ機Ｐ２の上部であり幕板Ｐ３の下部の呼び出しボタン等が配置される領域Ｐ６の前面に配置してもよい。この場合、液晶パネル４の背面に呼び出しボタン等が配置されることを避けるために呼び出しボタン等をずらして配してもよい。またさらに、液晶パネル４をパチンコ機Ｐ２とパチンコ機Ｐ２の間のサンドに配置してもよい。
【符号の説明】
【０１１０】
１      表示装置
２      ビデオデッキ（表示制御装置）
３      保持部
４      液晶パネル（画像表示パネル）
５      カバー
３２    回動アーム
５１    側方カバー（第１カバー）
５２    上カバー（第２カバー）
５３    下カバー（第２カバー）
Ｐ１    パチンコ島（遊技機島）
Ｐ２    パチンコ機（遊技機）
Ｐ３    幕板
Ｐ４    天板（取り付け部）
Ｒ１    有効表示領域
Ｒ２    額縁
【図１】
0003162322.tif 000003
【図２】
0003162322.tif 000004
【図３】
0003162322.tif 000005
【図４】
0003162322.tif 000006
【図５】
0003162322.tif 000007
【図６】
0003162322.tif 000008
【図７】
0003162322.tif 000009
【図８】
0003162322.tif 000010
【図９】
0003162322.tif 000011
【図１０】
0003162322.tif 000012